(57)【要約】 【課題】表示情報の登録、読み出し、書換え、消去を容易かつ即時的に行う簡便な表示装置を提供する。    【解決手段】表示装置１０は、ＩｒＯＢＥＸＩ／Ｆ１１、記録媒体１２、記録領域１３、記録媒体Ｉ／Ｆ１４、ＣＰＵ１５、ＲＯＭ１６、ＲＡＭ１７、表示パネル１８を備え、記録媒体１２の記録領域１３にバンクマーク付きで格納されている表示情報３１を表示パネル１８に巡回表示する。本発明では、このＩｒＯＢＥＸＩ／Ｆ１１を介して、携帯端末３０により、必要な情報の新規登録はもとより、バンクマークを利用して、所望の表示情報３１を読み出し、書き換え、あるいは消去することができる。このため、特別の入力装置を要せず、例えば携帯電話機により、どこからでも随時容易に表示情報３１の直接的な管理ができる。また、システム自体簡素で、産業上の利用性も高い。【選択図】図１
2008298841.tif 000002
【特許請求の範囲】
【請求項１】
表示パネルと、表示情報を格納可能な記憶媒体と、これらを制御するコンピュータとを備え、格納された複数個の表示情報を巡回表示する表示装置であって、コンピュータに赤外線通信インターフェイスＩｒＯＢＥＸを設け、赤外線通信可能な携帯電話により表示情報を作成し、ＩｒＯＢＥＸを介して、記憶媒体にバンクマークを付して登録、またはバンクマークを利用して読み出し、書換え、消去することを特徴とする表示装置。
【発明の詳細な説明】
【技術分野】
【０００１】
本発明は、表示装置、特に電光掲示板等の表示装置に関するものである。
【背景技術】
【０００２】
特許文献１は、液晶プロジェクタ等の表示装置において、表示映像に関連する非表示情報を、見る人の要請に応じて、赤外線通信機能付きの携帯電話機に配信するシステムを開示している。
【特許文献１】特開２００５−４３４６４号公報
【０００３】
また特許文献２は、多数の人に情報を提供する表示装置として、発車時刻表の表示システムを開示している。このシステムでは、表示情報を作成、蓄積、更新する入力端末とサーバーを連結する第１ネットワーク（ウエブ）と、サーバーから表示情報を受けて複数の表示手段に配信する配信サーバーと表示装置を連結する第２ネットワーク（公衆回線網）を備えており、情報の変更は、基本的にはウエブに連結された入力端末で行う。ただ、突発的変更システムとして、表示装置に赤外線通信インターフェイスを付加し、携帯端末から赤外線通信インターフェイスを介して、ウエブの入力端末を操作し、表示情報を変更できるとしている。
【特許文献２】特開２００６−９８８２８号公報
【発明の開示】
【発明が解決しようとする課題】
【０００４】
しかしながら、特許文献１の表示装置では、表示映像関連情報の取得は、携帯端末により赤外線通信を介して可能であるが、表示情報、関連情報の変更、更新を携帯端末で行うことは開示されていない。また、特許文献２の表示装置における表示内容の突発的変更は、表示装置に設けられた携帯端末により、表示装置の電源を印加し、ウエブ側の入力端末を介してサーバー内記憶媒体のデータベースを変更するもので、赤外線通信に直結された表示装置及び配信サーバー内には記憶媒体はない。変更された情報をサーバー、配信サーバー、表示装置と緊急配信する工夫はあるものの複雑な工程を要し、携帯端末による直接的な変更とはいえない。
【０００５】
本発明は、前記のごとき問題点を解決したもので、表示情報の登録、読み出し、書換え、消去をどこからでも容易かつ即時的に行うことができる簡便な表示装置を提供することを目的としている。
【課題を解決するための手段】
【０００６】
前記目的を達成した本発明の表示装置は、表示パネルと、表示情報を格納可能な記憶媒体と、これらを制御するコンピュータとを備え、格納された複数個の表示情報を巡回表示する表示装置であって、コンピュータに赤外線通信インターフェイスＩｒＯＢＥＸを設け、赤外線通信可能な携帯電話により表示情報を作成し、ＩｒＯＢＥＸを介して、記憶媒体にバンクマークを付して登録、またはバンクマークを利用して読み出し、書換え、消去することを特徴としている。  
【発明の効果】
【０００７】
本発明によれば、表示装置のシステム自体が簡素で、表示装置に表示する情報の登録、書き換え、消去等の制御は、赤外線通信を介して携帯端末、例えば携帯電話機のみにより、記憶媒体内のバンクマークを利用して、どこからでも随時容易に直接且つ即時的に行うことができる。
【発明を実施するための最良の形態】
【０００８】
以下、図面に従って本発明の望ましい態様を詳述する。図１は、本発明の表示装置の一例を示している。図１において、表示装置１０は、ＩｒＯＢＥＸＩ／Ｆ１１、記録媒体１２、記録領域１３、記録媒体Ｉ／Ｆ１４、ＣＰＵ１５、ＲＯＭ１６、ＲＡＭ１７、表示パネル１８を備えている。
【０００９】
ＩｒＯＢＥＸ Ｉ／Ｆ１１は、ＩｒＯＢＥＸ（ＩｒＤＡ Ｉｎｆｒａｒｅｄ Ｏｂｊｅｃｔ Ｅｘｃｈａｎｇｅ Ｐｒｏｔｏｃｏｌ）赤外線オブジェクト交換プロトコルに準拠した赤外線インターフェイスである。
【００１０】
記憶媒体Ｉ／Ｆ１４には、記憶媒体１２が装着され、記憶媒体１２には複数個の記録領域１３が存在する。記録領域１３は、装着される記憶媒体１２の情報量により異なり、記憶媒体１２の内部を固定バイトごとに区切り、記録領域１３を番号付け（バンクマーク）により管理する。また、記録領域１３には、赤外線通信機能付きの携帯端末３０、例えば携帯電話機から受信した表示情報３１（電子メール文書）が格納される。
【００１１】
記録領域１３に格納された表示情報３１は、記憶媒体Ｉ／Ｆ１４、ＣＰＵ１５を介して、ＲＡＭ１７に展開し、ＣＰＵ１５により表示情報３１から所定の文章抽出・加工処理が行われた後、表示パネル１８に送られて表示される。ここにおいて、文章の抽出・加工処理とは、文章の長さ、句読点、禁止文字の修正等が含まれる。
【００１２】
ＩｒＯＢＥＸに対応した赤外線インターフェイスを備えた携帯電話機を持っている表示装置の設置・提供者は、その携帯電話を操作しＩｒＯＢＥＸプロトコルにより表示情報３１を転送することで、表示装置１０へ表示内容を変更することが可能となる。ここにおいて、表示情報３１の変更には、新規登録、既登録情報の読み出し、書換え、消去などの改変、更新処理が含まれる。 
【００１３】
表示装置１０が起動したとき、記憶媒体１２の内部の記録領域１３に保存された表示情報３１を順次読み出し、所定の文章抽出・加工処理が行われた後、表示内容の表示を開始する。
【００１４】
表示装置１０によって表示内容が表示されているときに、携帯電話機２０からＩｒＯＢＥＸプロトコルにより転送された表示情報３１を受信すると、その表示情報３１に指定された記憶領域のバンクマークに該当する記憶領域１３に格納し、格納した記憶領域より表示情報３１を順次読み出し、所定の文章抽出・加工処理が行われた後、表示内容の表示を開始する。
【産業上の利用可能性】
【００１５】
本発明は、電子広告塔、スーパー内の商品、価額表示、観光案内等、身近な電子表示装置に利用可能である。
【図面の簡単な説明】
【００１６】
【図１】本発明の表示装置の一例を示すブロック図である。
【符号の説明】
【００１７】
１０表示装置
１１ＩｒＯＢＥＸ Ｉ／Ｆ 
１２記録媒体
１３記録領域
１４記録媒体 Ｉ／Ｆ 
１５ＣＰＵ 
１６ＲＯＭ 
１７ＲＡＭ 
１８表示パネル
３０携帯端末
３１表示情報
【図１】
2008298841.tif 000003